(57)【特許請求の範囲】
【請求項１】
ブックエンド（２）の起立板（３）に被せて取り付ける取付部（１０）と、該取付部（１０）の一側縁部に設けられて回動支軸とされる連結部（２０）と、該連結部（２０）に連結されるインデックス部（３０）と、を含んで構成された書棚用インデックス（１）であって、前記取付部（１０）は、下端開口部（１５）から被せた前記起立板（３）を上端において露出可能な上端開口部（１６）を有することを特徴とする書棚用インデックス。
【請求項２】
前記取付部（１０）は、屈曲又は湾曲させることが可能なシート部材（４）によって形成されたことを特徴とする請求項１に記載の書棚用インデックス。
【請求項３】
可撓性を有する１枚のシート部材（４）を前記連結部（２０）において接合して環状に形成することで前記取付部（１０）を形成したことを特徴とする請求項２に記載の書棚用インデックス。
【請求項４】
前記シート部材（４）の両側縁部（４ａ、４ｂ）を対面するシート部（４ｃ）と共に接合することで前記連結部（５２０）を形成し、該連結部（５２０）の下端部から一側縁部に向けて接合することで袋状のインデックス部（５３０）を形成したことを特徴とする請求項３に記載の書棚用インデックス。
【請求項５】
前記取付部（１０）に、前記インデックス部（３０）の側に向けて舌片状に切り込まれた爪部（１７）を設け、該爪部（１７）に前記起立板（３’）の側縁部（３ａ）を係止させるように構成したことを特徴とする請求項２〜請求項４の何れか１つの請求項に記載の書棚用インデックス。
【請求項６】
前記取付部（１０）の表側部材（１１１）と裏側部材（１１２）の何れか一方に切り込み（１１８）を設けると共に、他方に前記爪部（１１７）を設け、該爪部（１１７）を前記切り込み（１１８）に挿通させることで、前記起立板（３’）の側縁部（３ａ）を係止させるための仕切部（１１９）を形成したことを特徴とする請求項５に記載の書棚用インデックス。
【請求項７】
前記取付部（１０）の表側部材（２１０）と裏側部材（２１０）とに切り込み（２１８）を設け、該切り込み（２１８）に、前記起立板（３’）の側縁部（３ａ）を係止させるための仕切部材（２１９）を挿通させたことを特徴とする請求項１〜請求項６の何れか１つの請求項に記載の書棚用インデックス。
【発明の詳細な説明】
【技術分野】
【０００１】
本発明は、ブックエンドを利用して書棚に見出しを設けるための書棚用インデックスに関し、特に、書籍が取り出し易く、ブックエンドへの着脱が容易な書棚用インデックスに関する。
【背景技術】
【０００２】
書店や図書館などで使用される書棚には、書籍へのアクセスを容易にするためにインデックスが設けられるが、このような書棚用インデックスとして、ブックエンドの起立板に舌片状の見出し部を設けたものが各種提案されている。
特開２００６−２９６８４９号公報には、起立板の上端部を前方に延長し、舌片状の見出し部を構成する技術が提案されている（特許文献１）。
特開２００７−１１７１９１号公報には、起立板の前端部に嵌合部を設け、その嵌合部に、板状の見出し部材の後端部を着脱自在に取り付ける技術が提案されている（特許文献２）。
特開２００２−３６７号公報には、２枚のシートを接合して一側に見出し部を形成した袋状のカバーを形成し、ブックエンドの起立板に被せて間仕切板用のインデックスとする技術が提案されている（特許文献３）。
【先行技術文献】
【特許文献】
【０００３】
【特許文献１】特開２００６−２９６８４９号公報
【特許文献２】特開２００７−１１７１９１号公報
【特許文献３】特開２００２−３６７号公報
【発明の概要】
【発明が解決しようとする課題】
【０００４】
しかし、特許文献１及び引用文献２に開示の書棚用インデックスの場合、書棚から書籍を取り出す際に、誤って見出し部に手が触れるとブックエンドが移動し、起立板に立て掛けられた書籍が落下するといった事態が生じていた。
特許文献３に開示の書籍用インデックスは、シート材で形成されているので、ブックエンドごと移動して書籍と共に落下するといった事態は生じないが、ブックエンドのサイズに合わせてカバーを設計する必要があり、汎用性が低い。【０００５】
そこで、本発明は、既存のブックエンドに被せて使用することができ、汎用性が高く、書棚から書籍を取り出す際に見出し部に手が触れてしまった場合でも、書籍やブックエンドが落下することがない書棚用インデックスの提供を目的とする。
【課題を解決するための手段】
【０００６】
上記課題を解決するために、本発明に係る書棚用インデックスは、ブックエンドの起立板に被せて取り付ける取付部と、該取付部の一側縁部に設けられて回動支軸とされる連結部と、該連結部に連結されるインデックス部と、を含んで構成された書棚用インデックスであって、前記取付部は、下端開口部から被せた前記起立板を上端において露出可能な開口部を有することを特徴とするものである。
【発明の効果】
【０００７】
本発明に係る書棚用インデックスは、ブックエンドの起立板に被せられる取付部の一側縁部に、回動支軸とされる連結部を設け、該連結部を介してインデックス部を設けたので、書籍を取り出す際にインデックス部に手が触れてしまった場合でも、インデックス部のみが回動し、ブックエンドの起立板が回動して、それに掛けられた書籍が書棚から落下する事態を回避できる。
また、ブックエンドに取り付ける際には、取付部の下端開口部から起立板に被せ、その上端を、上端の開口部において露呈させるので、起立部の高さが異なるブックエンドに使用する場合であっても、同一の高さにインデックス部を位置させることができる。
これによって、汎用性が高く、美観及び安全性に優れた書棚用インデックスとすることができる。
【図面の簡単な説明】
【０００８】
【図１】本実施形態に係る書棚用インデックスを示す正面図である。
【図２】上記書棚用インデックスの使用状態を示す斜視図である。
【図３】上記書棚用インデックスをブックエンドに装着した状態を示す斜視図である。
【図４】上記書棚用インデックスの製造方法を示す説明図であり、（ａ）は基材となるシート部材、（ｂ）はシート部材の横方向中央部を折り曲げる状態、（ｃ）は環状の取付部と同時に連結部を製造する状態、（ｄ）は袋状のインデックス部を製造する状態を示す。
【図５】小サイズのブックエンドに装着した状態を示す斜視図である。
【図６】Ａ−Ａ線断面における爪部の近傍領域を拡大した端面図であり、（ａ）はブックエンドに装着する前、（ｂ）はブックエンドに装着した後の状態を示す。
【図７】上記書棚用インデックスの使用状態を示す説明図であり、（ａ）はブックエンドに取り付ける状態、（ｂ）はインデックス部に見出し用紙を挿入する状態を示す。
【図８】書籍の間に書棚用インデックスを入れた状態を示す。
【図９】上記書棚用インデックスの第１変形例を示す斜視図である。
【図１０】爪部の変形態様を示すＡ−Ａ線断面の拡大端面図であり、（ａ）はブックエンドに装着する前、（ｂ）はブックエンドに装着した後の状態を示す。
【図１１】上記書棚用インデックスの第２変形例における取付部を示すＡ−Ａ線断面の拡大端面図であり、（ａ）は取付部に設けられた切り込みを示し、（ｂ）は切り込みに仕切部材を挿通させた状態を示し、（ｃ）は仕切部材を折り曲げることで、起立板を係止させるための仕切部を形成した状態を示す。
【図１２】上記第２変形例を示す斜視図である。
【図１３】上記書棚用インデックスの第３変形例を示す斜視図である。
【図１４】上記製造方法の変形態様を示す説明図であり、（ａ）は基材となるシート部材、（ｂ）は２枚のシート部材を接合する状態、（ｃ）はインデックス部を形成する状態を示す。
【図１５】上記書棚用インデックスの第４変形例を示す斜視図である。
【図１６】上記第４変形例の製造方法を示す説明図であり、（ａ）は一枚のシート部材、（ｂ）は両側縁部を対面するシート部と接合して連結部を製造する状態、（ｃ）は袋状のインデックス部を製造する状態を示す。
【発明を実施するための形態】
【０００９】
本発明の好適な実施形態について、添付図面に基づいて説明する。なお、実施形態は以下の形態に限定されるものではなく、本発明の課題を解決しうるものであれば他の態様も実施可能である。
図１は、本発明の実施形態に係る書棚用インデックス１を示す正面図である。
【００１０】
この書棚用インデックス１は、図２に示すように、書店や図書館において、多くの書籍の中から所望の書籍を探す際に、そのアクセスを容易にするための見出しとして利用されるものであり、図３に示すように、ブックエンド２に装着して使用される。
この書棚用インデックス１は、ブックエンド２への取付部１０と、その一側部に設けられた連結部２０と、それに連結されるインデックス部３０と、からなるものである。
【００１１】
取付部１０は、ブックエンド２の起立板３に被せて取り付けるための部位であり、図４に示すように、合成樹脂製のシート部材４を半分に折り重ねることによって、表側部材１１と裏側部材１２を形成し、その折り曲げ線１３から所定間隔あけた位置で表裏部材１１、１２を相互に熱接合することで、上記連結部２０を形成し、折り曲げ線１３とは反対側の側縁部１４において相互に接合することで環状に形成したものである。
この取付部１０は、下端の開口部１５から、ブックエンド２の起立板３に被せ、上端の開口部１６において、起立板３の上端部を露出させることができるようになっている。
【００１２】
取付部１０の表側部材１１には、複数箇所に爪部１７が形成されている。
爪部１７は、図５に示すように、小さなサイズのブックエンド２’に使用する際に、起立板３’の側縁部３ａに係止させることで、しっかり装着できるようにするために設けられたものであり、連結部２０の側に向けて、舌片状に切り込むことによって形成される。
ブックエンド２’に取り付ける際には、図６に示すように、爪部１７を裏側部材１２の側に曲げた状態で、ブックエンド２’の起立板３’を取付部１０の下端開口部１５から嵌め込み、その端縁部３’を爪部１７の基部に係止させることで、緩みなく装着できる。
【００１３】
取付部１０の一側部側には、インデックス部３０を回動可能に取り付けるための連結部２０が形成される。
即ち、この連結部２０は、半分に折り曲げられたシート部材４を、その折り曲げ線１３から所定間隔あけた位置で、折り曲げ線１３と平行に、表裏部材１１、１２を相互に熱接合することで形成された部位であり、可撓性を有している。
【００１４】
この連結部２０を介してインデックス部３０を設けることで、連結部２０をインデックス部３０の回動支軸として機能させることができる。
インデックス部３０は袋状となっており、上端の開口部から、書物へのアクセスを容易にするための情報を記載した見出し用紙３１が挿入できるようになっている。
上記構成の書棚用インデックス１の製造方法を、図４を参照して説明する。
【００１５】
所定の部位に上記爪部１７が形成された合成樹脂製の１枚のシート部材４を横方向中央部で半分に折り重ねることによって、表側部材１１と裏側部材１２を形成する（図４（ｂ）を参照）。
そして、この表裏部材１１、１２を相互に熱接合するが、この際、図４（ｃ）に示すように、折り曲げ線１３から所定間隔あけた位置に、折り曲げ線１３と平行に第１のシール線（即ち、連結部２０）が設けられ、折り曲げ線１３とは反対側の側縁部１４に第２のシール線が設けられ、図４（ｄ）に示すように、連結部２０の下端部から折り曲げ線１３に向けて、インデックス部３０の底部３２を形成するための第３のシール線が設けられるように接合する。
【００１６】
この場合、ポリプロピレンやポリエステルなどの可撓性を有する合成樹脂素材からなるシート部材４を使用すれば、加熱しながらプレスすることによって、容易に接合される。
上記構成の書棚用インデックス１の使用方法を説明する。
先ず、図７（ａ）に示すように、取付部１０の下端の開口部を介して、ブックエンド２の起立板３に被せる。
【００１７】
そして、インデックス部３０に、所定の情報が記載された見出し用紙３１を挿入することで、インデックス付きのブックエンド２を構成し（図７（ｂ）を参照）、見出し情報に該当する書籍の収容場所に設置する。
図８に示すように、小さいサイズのブックエンド２’に使用する場合は、起立部３’の側縁部３ａ’を、爪部１７に係止させながら装着する。取付部１０は、可撓性を有するシート材で構成されているので、余った部分１０’は、書棚の奥に折り曲げておくことができる。
【００１８】
このように、起立板３の横幅の短いブックエンド２’に使用する場合は、爪部１７に係止させながら取り付けるので、小さなサイズのブックエンドにでも外れないように装着することができる。
書棚に配置する際に、異なるサイズのブックエンドを使用した場合であっても、インデックス部３０は、ブックエンド２のサイズにかかわらず起立板３の前側に位置するので、整然と並べられた状態にすることができる。
【００１９】
また、取付部１０の下端開口部１５からブックエンド２に被せ、その起立部３の上端を、上端開口部１６において露呈させるように構成したので、起立部３の高さが異なるブックエンド２に使用した場合であっても、同一の高さにインデックス部３０を位置させることができる。
よって、ブックエンド２のサイズごとに異なる種類の書棚用インデックスを購入する必要がなく、汎用性が高い。
【００２０】
書棚から書籍を取り出す際に、インデックス部３０に手が触れてしまった場合でも、熱接合によって形成された連結部２０は、可撓性を有しつつ所定の弾性復元力を備えた状態となっているので、インデックス部３０のみが回動し、元の位置に復帰する。
このため、インデックス部３０の回動と共に、ブックエンド２の起立板３が回動するのを防止することができ、そこに立て掛けられた書籍が移動し、書棚から落下する事態を回避できる。
【００２１】
なお、本発明の取付部は、ブックエンドの起立板に被せて取り付けることができればよく、図９に示す書棚用インデックス１００の取付部１１０のように、爪部を有しないものであってもよいし、可撓性を有しないものであってもよい。
この場合、シート材を熱接合させて形成するのではなく、射出成型によって、上端と下端に開口部１１５、１１６を有する箱型形状に形成してもよい。
【００２２】
連結部１２０は、インデックス部１３０を回動可能に取り付けることができるものであれば、いかなる形態であってもよく、例えば、取付部１１０の一端に設けられた蝶番であってもよい。
爪部の態様は、如何なるものであってもよい。例えば、図１０に示すように、表側部材１１１に爪部１１７を設け、裏側部材１１２にスリット状の切り込み１１８を設け、その切り込み１１８に爪部１１７を差し込み、表側部材１１１と裏側部材１１２との間を仕切るようにしてもよい。
【００２３】
また、図１１及び図１２に示す書棚用インデックス２００のように、表側部材２１１と、裏側部材２１２の対応位置にスリット状の切り込み２１８、２１８を設け、その切り込み２１８、２１８に仕切部材２１９を挿通させ、それを折り曲げることによって、起立板３’を係止させるための仕切部を構成してもよい。
多数の切り込み２１８を所定間隔ごとに設けることで、多様なサイズのブックエンドに適用可能となり、汎用性を一層向上させることができる。
【００２４】
この場合、取付部２１０を、屈曲又は湾曲させることが可能なシート部材によって形成し、爪部や仕切部材２１９でブックエンド２の起立板３に係止させるようにすれば、側縁部で接合することなく、下端開口部２１５から被せた起立板３を上端において露出可能な開口部２１６を、上端に設けることが可能となる（図１２を参照）。
また、インデックス部は、必ずしも袋状体である必要はなく、例えば図１３に示す書棚用インデックス３００のように、蝶番状の連結部３２０を介して、別部材３３０として取り付けてもよい。
【００２５】
また、本発明の書棚用インデックスの製造方法としては、図１４に示すように、２枚のシート部材４１１、４１２を側縁部と中間部において接合することによって形成してもよい。
即ち、所定の部位に爪部１７が形成された表側部材４１１と、裏側部材４１２を中間部において上下方向に向けて熱接合することで連結部４２０が形成され（図１４（ｂ）を参照）、その連結部４２０の下端部から側縁部４３３に向けて接合することでインデックス部４３０の底部４３２が形成されるように、双方のシート部材を接合する（図１４（ｃ）を参照）。
【００２６】
また、図１５に示す書棚用インデックス５００のように、インデックス部５３０の底部５３２と、連結部５２０のみをシール接合して形成してもよい。
この場合、図１６に示すように、一枚のシート部材４の両側縁部４ａ、４ｂを対面するシート部と共に接合することで、インデックス部５３０の側縁部５３３と、取付部５１０の側縁部５１４とが共に輪の状態となり、熱接合に要するコストを低減することができる。
【産業上の利用可能性】
【００２７】
本発明は、書棚に限らず、あらゆる収納場所において、その収容物へのアクセスを容易にするためのインデックスとして使用することができる。  
【符号の説明】
【００２８】
１、１００、２００、３００、５００…書棚用インデックス
２、２’…ブックエンド
３、３’…起立板
４…シート部材
１０、１１０、２１０、３１０、５１０…取付部
１１、１１１、２１１、４１１…表側部材
１２、１１２、２１２、４１２…裏側部材
１３…折り曲げ線
１４…側縁部
１５、１１５、２１５…開口部（下端開口部）
１６、１１６、２１６…開口部（上端開口部）
１７、１１７…爪部
１１８、２１８…切り込み
２１９…仕切り部材
２０、１２０、２２０、３２０、４２０、５２０…連結部
３０、１３０、２３０、３３０、４３０、５３０…インデックス部
３１…見出し用紙
３２、４３２、５３２…底部
【図３】
0006049204.tif 000002
【図４】
0006049204.tif 000003
【図５】
0006049204.tif 000004
【図６】
0006049204.tif 000005
【図７】
0006049204.tif 000006
【図８】
0006049204.tif 000007
【図９】
0006049204.tif 000008
【図１０】
0006049204.tif 000009
【図１１】
0006049204.tif 000010
【図１２】
0006049204.tif 000011
【図１３】
0006049204.tif 000012
【図１４】
0006049204.tif 000013
【図１５】
0006049204.tif 000014
【図１６】
0006049204.tif 000015
【図１】
0006049204.tif 000016
【図２】
0006049204.tif 000017